(57)【要約】　　　（修正有）【課題】長尺で断面形状の大きな建築用材の生産に使用される木材の表面切削加工機を提供する。【解決手段】長尺木材を載置して加工可能なベットを有する表面切削加工機の前面に複数台の木材供給用ベルトコンベア２ａを設け、該木材供給用ベルトコンベア２ａの行程上に加工木材７の切削面変換機構を設け、該切削面変換機構により加工木材７の切削面を順次変換して表面切削加工機に木材を送り込むことを特徴とする木材の表面切削加工機。【選択図】　　　図３
2004058547.tif 000002
【特許請求の範囲】
【請求項１】
長尺木材を載置して木材表面を切削加工可能な長尺ベッドを有する表面加工機の前面に複数台の昇降可能な木材供給用ベルトコンベアを設け、
該木材供給用ベルトコンベアの行程上に先端にＬ字形状の回動アームを具備した加工木材の切削面変換機構を複数個設け、
該切削面変換機構により加工木材の切削面を順次変換させて前記加工木材を表面切削加工機のクランプ機構に送り込むこと、
を特徴とする木材の表面切削加工機。
【請求項２】
長尺木材を載置して木材表面を切削加工可能な長尺ベッドを有する表面加工機の前面に複数台の昇降可能な木材供給用ベルトコンベアを設け、
該木材供給用ベルトコンベアの行程上に先端にＬ字形状の回動アームを具備した加工木材の切削面変換機構を複数個設け、
該切削面変換機構により加工木材の切削面を順次変換させて前記加工木材を表面切削加工機のクランプ機構に送り込み、
該クランプ機構により加工木材を固定して表面切削加工を行う加工機であって、
表面切削刃物を保持する加工機ヘッドを２台設けて、前記長尺木材の加工がない場合等に通常長さの木材加工を同一加工機ベッド上で二本同時に切削加工出来ること、
を特徴とする木材の表面切削加工機。
【請求項３】
前記木材供給用ベルトコンベア上に供給される加工木材は保管庫より連結されるベルトコンベアにより前記木材供給用ベルトコンベアに補給され人手を使わず長尺で断面形状の大きな木材の表面切削加工が行えること、
を特徴とする請求項１又は２記載の木材の表面切削加工機。
【発明の詳細な説明】
【０００１】
【発明の属する技術分野】
本発明は製材所に於いて製材木取りされ、十分に乾燥された正角材や平角材の表面を削り四面加工して、柱や梁、そして桁や上がり框等に使用される建築用材を生産する木材の表面切削加工機に関するものであり、また本発明の特徴として、木造建築の構造材として使用される長尺で断面形状の大きな、合わせ梁や集成梁材等の重量のある長尺木材を、加工機に自動供給が可能で、また加工機に供給された木材は切削面変換機構により四面の自動切削加工が出来る、木材の表面切削加工機に関するものである。
【０００２】
【従来の技術】
木材の表面を削り建築用材に仕上げるには、大工の熟練と技が集約された鉋がけが、電動鉋や自動鉋盤に代わってから久しいが、木材の強度は構造材として軽量な割りにはその強度が大きく、近年では欧米のように実大試験結果に基づき木造三階建住宅や大規模木造建築の構造材として木材が使用出来るようになり、例えば、４ｍから８ｍの長尺材で、その断面寸法が１本木で１１０ｍｍ角、合わせ梁で１１０ｍｍ×３５０ｍｍと大型化して、自動鉋盤への木材の供給はもとより、鉋盤上での切削面変換作業が人力では不可能な規模になってきた。
【０００３】
【発明が解決しようとする課題】
斯くして、本発明の目的は木材の表面切削加工機として操作が簡単で加工精度も安定している一面切削加工機に、木材供給用のベルトコンベアを設け、該ベルトコンベアの行程上に供給木材の切削面変換機構を設けることにより、切削面を順次変換して切削刃物面に対向可能とし、正角材や平角材の四面を切削することの出来る木材の表面切削加工機を提供するものである。
【０００４】
また、本発明の木材の表面切削加工機は、前記木材供給用ベルトコンベアと切削面変換機構、及び木材を表面加工機に固定するためのクランプ機構の動きをＮＣ制御する事により、木材の供給から四面加工を自動化出来、例えば、４ｍから８ｍの長さを有する長尺材で、その断面が１１０ｍｍ角の正角材や、同様の長尺材で断面が１１０ｍｍ×３５０ｍｍの大型合わせ梁材、集成梁材をも人手を使わず加工可能である。
【０００５】
【課題を解決するための手段】
上記目的を達成するために、本発明に於いては、十分に乾燥された木材を保管庫より、ベルトコンベアにより表面切削加工機まで運び、該表面切削加工機の木材供給用ベルトコンベアに載置する。
木材供給ベルトコンベアは表面切削加工機のクランプ位置に対して上下動可能に構成され、また、木材供給用ベルトコンベアの行程上には供給木材の切削面変換機構が設けられており、木材の切削面を順次変換して表面切削加工機に木材を送り込むことが可能で、表面切削加工機は送り込まれた木材をクランプ機構により固定して木材の表面切削加工が行える。
【０００６】
従って、本発明に係る木材の表面切削加工機は、長尺で断面形状の大きな建築用材の生産に使用され、木材の自動供給や、木材の切削加工、並びに木材の切削面変換を人手を使わず行なえ、木材の表面切削を自動化可能にした木材の表面加工機を提供するものであって、特に長尺ものでその断面形状が大きな正角材や、平角材の生産に優れた効果を発揮できる。
【０００７】
更に、本発明の表面切削加工機は長尺木材の加工用に長いベッドを有しており、通常の長さの木材、例えば、四ｍ程度の長さの木材であれば、切削刃物を保持するヘッドを二台設けることにより木材を二本同時に加工でき、生産性を高めることが可能である。
【０００８】
【発明の実施の形態】
発明の実施の形態を実施例図に基づき詳説する。
図１は本発明の木材の表面切削加工機を示す平面図、図２は図１の正面図、図３は図２のＡ−Ａ’拡大断面図、図４は木材切削加工の他の実施例を示す説明図、図５（Ａ）乃至図５（Ｌ）は木材の切削面変換機構の動作説明図を示している。
【０００９】
図１乃至図４に於いて、１は加工機本体、２ａ、２ｂ、２ｃ、２ｄは木材供給用ベルトコンベア、３ａ、３ｂ、３ｃ、３ｄは前記木材供給用ベルトコンベアの昇降機構（図２に示す）、４ａ、４ｂ、４ｃ、４ｄは木材の切削面変換機構、５ａ、５ｂ、５ｃ、５ｄは前記切削面変換機構４ａ、４ｂ、４ｃ、４ｄに連結された補助クランプ機構、６ａ、６ｂ、６ｃ、６ｄは、木材７を加工機本体１に固定するためのクランプ機構を示している。
【００１０】
前記加工機本体１にはベッド８上に設けられたリニヤレール９ａ、９ｂに沿って摺動可能なヘッド１０、１０’が設置されており、該ヘッド１０、１０’には、それぞれ移動フレーム１１、１１’上に軸受け１２、１２’を介して回動可能に主軸フレーム１３、１３’が設けられている。
主軸フレーム１３、１３’は木材７の表面切削用刃物１４、１４’を保持しており、該切削用刃物１４、１４’はモーター１５、１５’により回転し、前記木材７の表面を切削加工する。
尚、１６、１６’は前記移動フレーム１１、１１’と主軸フレーム１３、１３’間を連結する昇降シリンダーであって、切削刃物１４、１４’の上下動をコントロールし、木材７の切削しろを設定可能である。
【００１１】
また、図１及び図３に表示された１７、１７’は切削刃物１４、１４’を保持するヘッド１０，１０’を摺動させる移動用モーターであって、該１７、１７’の移動用モーターの回転はピニオン１８の回転としてベッド８のラックギャ１９に噛み合い、ヘッド１０，１０’を前記リニアレール９、９’に沿って移動させるとともに、ヘッド１０、１０’の主軸フレーム１３、１３’に保持された切削刃物１４、１４’が木材７の表面を切削加工する。
【００１２】
また、切削刃物１４、を保持したヘッド１０、は図２に示す如く、例えば八ｍの長尺木材７を表面切削加工する場合に、図２の想像線９に示す如く右端部まで木材７を加工しながら進める。
次に四ｍの長さの木材７を加工する必要が出た場合には、図４の如く二台のヘッド１０、１０’を加工機本体１に配列して、四ｍ木材７ａ、７ｂを二本同時に切削加工して生産性を上げることができる。
【００１３】
斯くして、図１の想像線にて示す２０ａ、２０ｂ、２０ｃ、２０ｄは木材保管庫に接続されているベルトコンベアであり、該ベルトコンベア２０ａ、２０ｂ、２０ｃ、２０ｄにより運ばれた木材７は、図５（Ａ）の如く、加工機本体１に設けられた木材供給用ベルトコンベア２上に載置される。
【００１４】
図５（Ａ）乃至図５（Ｌ）は木材７の切削面変換機構動作説明図であり、該部分を拡大している。
図５（Ａ）乃至図５（Ｌ）にあって、符号２ａは図２にて説明した昇降機構付の木材供給用ベルトコンベアであり、６ａは木材７を加工機のベッド８に固定するためのクランプ機構を示しており、該クランプ機構６ａは互いに対向する支持アーム２１，２２を有しており、前記対向する支持アーム２１、２２間の間隔を可変する事により木材７を挟持して加工機のベッド８に木材７を固定したり、該固定を解除することができる。
【００１５】
符号４ａは木材７の切削面変換機構であり、該切削面変換機構４ａは、前記木材供給用ベルトコンベア２ａの駆動行程の中間附近に配置され、先端にＬ字形状の回動アーム２３が具備されている。
【００１６】
而して、前記木材保管庫よりベルトコンベアにより、木材供給用コンベア２ａ上に載置された木材７（木材は動作を解りやすくするため平角材を例に説明する）は木材供給用コンベア２ａにて図５（Ｂ）のようにクランプ機構６ａの上部まで、運ばれる。
【００１７】
図５（Ｃ）では、図５（Ｂ）の状態で、前記木材供給用ベルトコンベア２ａの昇降機構を動作して、木材供給用コンベア２ａを降ろし、木材７をクランプ６ａの支持アーム２１、２２間に設置されている。
【００１８】
図５（Ｄ）では、図５（Ｃ）の状態でクランプ機構６ａの支持アーム２１、２２を締め付けてベッド８に固定して、木材７の７Ａ面を切削加工状態を示している。
【００１９】
図５（Ｅ）は木材７Ａ面の切削加工が完了してクランプ機構６ａによる締着を解除した状態を示し、図５（Ｆ）は前記図５（Ｃ）の状況で降ろした木材供給用コンベア２ａを元の位置まで上げる。
【００２０】
次に木材供給用ベルトコンベア２ａを駆動して、図５（Ｊ）に示す如く、木材７を前記木材７の切削面変換機構４ａの回動アーム２３上まで戻し、再び木材供給用ベルトコンベア２ａを降ろすと、図５（Ｋ）の如く木材７は前記切削面変換機構４ａの回動アーム２３上に載置される。
【００２１】
図５（Ｌ）は、切削面変換機構４ａの回動アーム２３上に載置された木材７を回動アーム２３を９０度回転させることにより、その上向き面を木材供給用ベルトコンベア２ａ上で変換している状態を示す。
【００２２】
従って、上記の状態で図５（Ｂ）の工程に戻り、木材７をクランプ機構６ａに装着して、７Ｂ面の切削加工を行い、更にこの工程を繰り返すことにより木材７の四面加工が可能となる。
【００２３】
【発明の効果】
本発明は上述の構成により、長尺で大きな断面を持つ木材を保管庫よりベルトコンベアにて表面切削加工機まで運び、該表面切削加工機の木材供給用ベルトコンベアに載置する。木材供給用コンベアは表面切削加工機のクランプ位置に対して上下動可能に構成され、また、木材供給用ベルトコンベアの行程上には供給木材の切削面変換機構が設けられており、木材の切削面を順次変換して表面切削加工機に木材を送り込むことが可能で、表面切削加工機は送り込まれた木材をクランプ機構により固定して木材の表面切削加工が行えるもので、複数の木材供給用ベルトコンベア、複数の切削面変換機構、そして複数のクランプ機構を加工機に配置しなくてはならないが、それぞれの機構はシンプルで、該機構をＮＣ制御することが簡単に行える。
【００２４】
従って本発明の木材の表面切削加工機は、長尺で断面形状の大きな建築用材の生産に使用され、木材の自動供給や、木材の切削加工、並びに木材の切削面変換を人手を使わず行え、木材の表面切削を自動化可能にしたもので、特に本発明は長尺もので、その断面形状が大きな正角材や、平角材の生産に優れた効果を発揮できる。
【００２５】
更に、本発明の表面切削加工機は、長尺木材の加工用に長いベッドを有しており、通常の長さ木材、例えば四メートル以下の長さの木材であれば、切削刃物を保持するヘッドを二台設けることにより木材を二本同時に加工出来、生産性を高めることが可能であるる等、優れた効果を有する。
【図面の簡単な説明】
【図１】本発明の木材の表面加工機を示す平面図である。
【図２】図１の正面図である。
【図３】図２のＡ−Ａ’拡大断面図である。
【図４】本発明の他の実施例説明図である。
【図５】本発明の木材切削面変換機構を示し、該動作説明図である。
【符号の説明】
１　加工機本体
２ａ、２ｂ、２Ｃ・・・　木材供給用ベルトコンベア
３ａ、３ｂ、３ｃ・・・　木材供給用ベルトコンベア昇降機構
４ａ、４ｂ、４ｃ・・・　木材の切削面変換機構
５ａ、５ｂ、５ｃ・・・　補助クランプ機構
６ａ、６ｂ、６ｃ・・・　クランプ機構
７　木材
８　ベッド
９ａ、９ｂ　リニアレール
１０、１０’　ヘッド
１１、１１’　移動フレーム
１２、１２’　軸受け
１３、１３’　主軸フーレム
１４、１４’　切削用刃物
１５、１５’　モーター
１６、１６’　昇降シリンダー
１７、１７’　移動用モーター
１８　ピニオン
１９　ラックギャ
２０ａ、２０ｂ、２Ｃ・・・　ベルトコンベア
２１　支持アーム
２２　支持アーム
２３　回動アーム
【図１】
2004058547.tif 000003
【図２】
2004058547.tif 000004
【図３】
2004058547.tif 000005
【図４】
2004058547.tif 000006
【図５】
2004058547.tif 000007
【手続補正書】
【提出日】平成14年8月30日(2002.8.30)
【手続補正１】
【補正対象書類名】明細書
【補正対象項目名】図面の簡単な説明
【補正方法】変更
【補正の内容】
【図面の簡単な説明】
【図１】本発明の実施例を示す平面図である。
【図２】図１の正面図である。
【図３】図１の側面図である。
【図４】本発明の要部拡大説明図である。
【図５Ａ】本発明の木材切削面変換機構を示し、該動作説明図である。
【図５Ｂ】本発明の木材切削面変換機構を示し、該動作説明図である。
【図５Ｃ】本発明の木材切削面変換機構を示し、該動作説明図である。
【図５Ｄ】本発明の木材切削面変換機構を示し、該動作説明図である。


【手続補正２】
【補正対象書類名】図面
【補正対象項目名】全図
【補正方法】変更
【補正の内容】
【図１】
2004058547.tif 000008
【図２】
2004058547.tif 000009
【図３】
2004058547.tif 000010
【図４】
2004058547.tif 000011
【図５Ａ】
2004058547.tif 000012
【図５Ｂ】
2004058547.tif 000013
【図５Ｃ】
2004058547.tif 000014
【図５Ｄ】
2004058547.tif 000015